(57)【要約】【課題】  往復するピストン部材が内蔵されたポンプ本体を含む、超小型に構成されるピストンポンプであって、防振防音に優れたピストンポンプを提供する。【解決手段】  往復するピストン部材４５が内蔵されたポンプ本体１０を含むピストンポンプ１であって、前記ポンプ本体１０から外方に突出するように該ポンプ本体１０に設けられた支持棒５０，６０と、前記支持棒５０，６０と当接する部分を制振部材８１で形成された前記支持棒５０，６０を固定する固定部材８０とを備えた。【選択図】  図１
2006144661.tif 000002
【特許請求の範囲】
【請求項１】
往復するピストン部材が内蔵されたポンプ本体を備えるピストンポンプであって、
前記ポンプ本体から外方に突出するように該ポンプ本体に設けられた支持棒と、
前記支持棒と当接する部分を制振部材で形成されて前記支持棒を固定する固定部材とを備えたことを特徴とするピストンポンプ。
【請求項２】
前記支持棒によって、前記ポンプ本体を中空に浮かばせるように該ポンプ本体を支持することを特徴とする請求項１に記載のピストンポンプ。
【請求項３】
前記支持棒を、前記ポンプ本体の圧力室と連通されるパイプで構成することを特徴とする請求項１または請求項２に記載のピストンポンプ。
【請求項４】
前記パイプを、２本の吸入パイプと吐出パイプとから構成し、
前記吸入パイプと前記吐出パイプとを、互いに直交するように配置することを特徴とする請求項３に記載のピストンポンプ。
【請求項５】
前記吐出パイプを、前記ピストン部材の中心軸線と同軸上に設けることを特徴とする請求項４に記載のピストンポンプ。
【請求項６】
前記ポンプ本体を筐体で覆うと共に、該ポンプ本体と該筐体との間に制音部を介装したことを特徴とする請求項１から請求項５のうち何れか一項に記載のピストンポンプ。
【請求項７】
回転軸を備えるモータ部と、中心軸線方向が前記モータ部の回転軸線方向と平行とされ、前記モータ部に隣接して設けられたピストン部と、前記回転軸と係合され、前記ピストン部に備えられるピストン部材に動力を伝達する動力伝達部とを相互に連結して一体とされたピストンポンプであって、
前記ピストン部の圧力室と連通され前記ピストン部の中心軸線と同軸上に配置された吐出パイプと、前記吐出パイプと直交し前記ピストン部の圧力室と連通された吸入パイプとを、制振部材を介して固定部材によって固定することを特徴とするピストンポンプ。
【発明の詳細な説明】
【技術分野】
【０００１】
本発明は、ピストンポンプに関する。
【背景技術】
【０００２】
従来から、往復するピストン部材が内蔵されたポンプ本体を含むピストンポンプ（プランジャポンプとも称される。）にあっては、そのピストン部材の往復運動によって、振動や音が発生する問題があった。このような問題を解決するために、ピストンポンプと該ピストンポンプの接地面との間にゴム等の制振部材を介装させて、その振動を周囲に伝達し難くされた防振防音構造が提供されている（特許文献１参照）。
【０００３】
一方、上述のピストンポンプにあっては、電子機器から発生した熱を取り除くために冷却水を供給させたり、燃料電池に燃料を供給させたりすることを目的に使用されるものがある。このような目的に使用されるピストンポンプは、電子機器等に内蔵するため、できるだけ極小に構成されるものである。
【０００４】
そこで、このような極小に構成されるピストンポンプにあっても、防振防音を目的に、上述した防振防音構造を採用した場合、介装された前記制振部材によって、ピストンポンプ自体の大きさが大きくなってしまう問題が残されていた。つまり、極小なピストンポンプとして構成した、本来の目的が達成できないものとなってしまう。
【特許文献１】特開２００２−３１０４６０号公報
【発明の開示】
【発明が解決しようとする課題】
【０００５】
本発明は、このような事情に鑑みなされたものであって、往復するピストン部材が内蔵されたポンプ本体を含む、超小型に構成されるピストンポンプであって、防振防音に優れたピストンポンプを提供することを目的とする。
【課題を解決するための手段】
【０００６】
本発明は、上記課題を解決するために以下の手段のピストンポンプを提供する。
本発明に係るピストンポンプは、往復するピストン部材が内蔵されたポンプ本体を備えるピストンポンプであって、前記ポンプ本体から外方に突出するように該ポンプ本体に設けられた支持棒と、前記支持棒と当接する部分を制振部材で形成されて前記支持棒を固定する固定部材とを備えたことを特徴とする。
【０００７】
本発明に係るピストンポンプにあっては、ポンプ本体から突出した支持棒と当接する部分を、制振部材で形成された固定部材によって固定されているので、ピストン部材が往復することによって発生し伝達された振動は、その支持棒と当接する制振部材によって制振され、支持棒から固定部材に伝達され難いものとなる。従って、このピストンポンプによれば、ポンプ本体に内蔵されるピストン部材が往復することによって発生した振動が、そのポンプ本体の周囲に伝達され難いものとなり、結果、防振効果の得られたピストンポンプとなる。
【０００８】
本発明に係るピストンポンプは、前記支持棒によって、前記ポンプ本体を中空に浮かばせるように該ポンプ本体を支持することを特徴とする。
【０００９】
本発明に係るピストンポンプにあっては、ポンプ本体が中空に浮かぶように支持されるので、ポンプ本体は、ポンプ本体に設けられる支持棒以外と接触しないように支持される。つまり、ポンプ本体に内蔵されるピストン部材が往復することによって発生した振動は、接触しない他の部材には伝達されず、そのポンプ本体に設けられた支持棒のみに伝達される。従って、このピストンポンプによれば、ポンプ本体に内蔵されるピストン部材が往復することによって発生した振動は、そのポンプ本体の周囲に伝達され難いものとなって、結果、防振効果の得られたピストンポンプとなる。
【００１０】
前記支持棒を、前記ポンプ本体の圧力室と連通されるパイプで構成することを特徴とする。
【００１１】
本発明に係るピストンポンプにあっては、支持棒がパイプで構成され、ポンプ本体の圧力室と連通されるので、そのパイプから、ポンプ本体の圧力室に流体等の媒質を吸入可能に、若しくは、そのポンプ本体からパイプに吐出可能なピストンポンプとなる。従って、このピストンポンプによれば、ピストンポンプに必要不可欠な、吸入パイプ若しくは吐出パイプの少なくとも何れか１つが支持棒として構成されるので、ポンプ本体に支持棒を設けることが省かれ、ピストンポンプ全体の嵩張りを減らすことができる。
【００１２】
前記パイプを、２本の吸入パイプと吐出パイプとから構成し、前記吸入パイプと前記吐出パイプとを、互いに直交するように配置することを特徴とする。
【００１３】
本発明に係るピストンポンプにあっては、上述したように、ピストンポンプを構成するにあたって必要不可欠な、吸入パイプ及び吐出パイプが支持棒として構成されるので、ポンプ本体に支持棒を設けることが省かれ、ピストンポンプ全体の嵩張りを減らすことができる。さらに、支持棒としての役割も担う吸入パイプ及び吐出パイプとは、互いに直交するように配置されるので、ポンプ本体は、縦方向及び横方向から、固定部材によって好適にポンプ本体が固定される。従って、このピストンポンプによれば、ポンプ本体は、振動によって縦方向及び横方向にズレ難く安定して固定される。
【００１４】
前記吐出パイプを、前記ピストン部材の中心軸線と同軸上に設けることを特徴とする。
【００１５】
本発明に係るピストンポンプにあっては、吐出パイプを、ピストン部材の往復運動方向とされた、ピストン部材の中心軸線と同軸上に設けられているので、そのピストン部材のピストン運動によって得られた圧力を、無駄なく流体を吐出力とすることができる。従って、ピストン運動のロスが少なくされ、好適に流体を吐出することができるピストンポンプとなる。
【００１６】
前記ポンプ本体を筐体で覆うと共に、該ポンプ本体と該筐体との間に制音部を介装したことを特徴とする。
【００１７】
本発明に係るピストンポンプにあっては、ポンプ本体に内蔵されるピストン部材が往復することによって発生した音は、その筐体によって遮音される。さらに、その発生した音はその筐体とポンプ本体との間には制音部が介装されていることにより、好適に制音される。従って、このピストンポンプによれば、ポンプ本体に内蔵されるピストン部材が往復することによって発生した音は、そのポンプ本体の周囲に伝達され難いものとなって、結果、防音効果の得られたピストンポンプとなる。
【００１８】
回転軸を備えるモータ部と、中心軸線方向が前記モータ部の回転軸線方向と平行とされ、前記モータ部に隣接して設けられたピストン部と、前記回転軸と係合され、前記ピストン部に備えられるピストン部材に動力を伝達する動力伝達部とを相互に連結して一体とされたピストンポンプであって、前記ピストン部の圧力室と連通され前記ピストン部の中心軸線と同軸上に配置された吐出パイプと、前記吐出パイプと直交し前記ピストン部の圧力室と連通された吸入パイプとを、制振部材を介して固定部材によって固定することを特徴とする。
【００１９】
本発明に係るピストンポンプにあっては、モータ部とピストン部とが、モータ部の回転軸線方向と、ピストン部材の往復運動方向とされたピストン部の中心軸線方向とが平行となるように隣接して設けられているので、モータ部とピストン部が無駄なスペースが無くされて配置されたものとなる。そして、小さく構成されたピストンポンプの圧力室と連通された吐出パイプと吸入パイプとが、制振部材を介して固定部材によって固定されているので、ピストン部材等が往復することによって発生した振動は、その制振部材で制振されることとなって、固定部材に伝達され難いものとなる。従って、このピストンポンプによれば、極小に構成されると共に、ピストン部材が往復することによって発生した振動が、そのポンプ本体の周囲に伝達され難いものとなって、結果、防振効果の得られたピストンポンプとなる。
【発明の効果】
【００２０】
本発明に係るピストンポンプによれば、往復するピストン部材が内蔵されたポンプ本体を含む、超小型に構成されるピストンポンプであって、防振防音に優れたピストンポンプが得られるものとなる。
【発明を実施するための最良の形態】
【００２１】
以下、本発明に係るピストンポンプの最良の実施形態について、図１から図５を参照しながら説明する。なお、図１は本発明に係るピストンポンプの斜視図、図２は吸入パイプ及び吐出パイプが設けられたポンプ本体の一部切り欠き斜視図、図３は図２のポンプ本体の上面断面図、図４は図２のポンプ本体を筐体で覆う際の分解図、図５は筐体で覆われたポンプ本体の横断面図及び固定部材の横断面図である。
【００２２】
図１に示すピストンポンプ１は、筐体で覆ったポンプ本体１０に設けられた吸入パイプ５０と吐出パイプ６０とが、固定部材８０によって他の部材に固定されてあるところが示されている。まず、このピストンポンプ１のポンプ本体１０について、図２及び図３を参照しながら説明する。なお、図１に示すポンプ本体１０は、後に説明する遮音筐体７０に覆われている。
【００２３】
ポンプ本体１０は、流体Ｆが吸入される吸入口１１と、流体Ｆが吐出される吐出口１２とが、互いに直交する方向に開口されて形成されるものであって、大まかに分けて、動力を発生するモータ部２０と、そのモータ部２０から発生した動力を伝達する動力伝達部３０と、その動力によって往復運動するピストン部材４５が内蔵されるピストン部４０とから構成される。
また、前記モータ部２０と前記ピストン部４０とは、その回転軸線方向と中心軸線方向とが平行となるように隣接して配置される。また、前記動力伝達部３０は、前記モータ部２０の一側端と、前記ピストン部４０の一側端との互いに接するように配置されている。そして、後にも説明するが、吐出パイプ６０は、前記ピストン部４０の中心軸線と同軸上に設けられ、吸入パイプ５０は、その吐出パイプ６０と直交する方向で、且つ前記モータ部２０の隣接側とは反対となる側に設けられている。このように各部が配置されることによって、前記ポンプ本体１０は超小型に構成できる。
【００２４】
前記モータ部２０は、モータ収納筐体２１に電動モータ２２が収納されて構成されている。そして、前記電動モータ２２に備えられる回転シャフト２３の外周には、シャフトギア２４が設けられており、このシャフトギア２４と、後に説明する動力伝達部３０の第１ギア３２とが歯合して、その回転シャフト２３の回転駆動が伝達されていく。なお、前記収納筐体２１にあっては、ピン部材２５ａ，２５ｂを介して、後に説明するピストン部４０のピストン収納筐体４１と連結されている。
【００２５】
次に、前記モータ部２０の回転軸２３の回転駆動を伝達する動力伝達部３０について説明する。前記動力伝達部３０は、ギア収納筐体３１と、端部がギア収納筐体３１の適宜箇所に軸支された、前記シャフトギア２４と歯合する第１ギア３２と、前記第１ギア３２と一体的に回転される第２ギア３３と、前記第２ギア３３と歯合する第３ギア３４とが備えられる。また、前記第３ギア３４には、その側部から突出して周囲に螺旋状の凹溝３５ａが形成された螺旋ガイド部３５が設けられている。また、その凹溝３５ａに嵌め込まれて案内されるローラ部３６ａが設けられた往復部材３６が、その第３ギア３４に隣接して設けられている。なお、符号３７は、前記往復部材３６の往復運動を軸支するガイドシャフトである。
【００２６】
従って、上述した各種ギア３２，３３，３４が回転されることによって、前記螺旋ガイド部３５も回転され、前記ローラ部３６ａは、前記螺旋ガイド部３５の凹溝３５ａの案内にしたがい、図中における左右方向に移動する。つまり、前記各種ギア３２，３３，３４の回転駆動が、前記往復部材３６の往復運動に変換されることとなる。また、前記往復部材３６は、吐出パイプ６０が設けられる方向の端部が、後に説明するピストン部４０のピストン部材４５の端部に配される押圧板４６を挟持するように構成されている。従って、前記往復部材３６の往復運動にしたがって、そのピストン部材４５も往復運動されることとなる。なお、前記往復運動部材３４は、前記凹溝３５ａにしたがって案内されるローラ部３６ａによって往復運動されるものとしたが、後に説明する撓んだ可撓性筒部４４の復元力によって、図中左方端にまで案内された後に図中右方に戻るように構成されてもよい。
【００２７】
次に、ピストン部４０について説明する。ピストン部４０は、連通穴４８によって互いが連通される作動室４２と圧力室４３とを備えたピストン収納筐体４１内に、ピストン部材４５が内蔵されている。このピストン部材４５は、吐出口１２に向けて開口された椀状の椀部４９が形成される。また、そのピストン部材４５は、その椀部４９の内部底に当たる部分には吸入口１１と繋がる底孔４９ａが形成されている。また、この椀部４９内には、球状に形成される止め球４９ｂが移動可能に配置されている。なお、符号４９ｃは、前記止め球４９ｂが前記椀部からの抜け落ちを防止する止め具である。
【００２８】
前記ピストン部材４５の基端（図中の右端）には、ピストン補助部材４７が螺合されている。そして、前記ピストン補助部材４７の周囲には、該ピストン補助部材４７を覆うように両端が開口されて筒状に形成された可撓性筒部４４が設けられている。ピストン補助部材４７の基端（図中の右端）は、可撓性筒部４４の開口一端が半径方向に突出して形成された内フランジ４４ａを介して、前記押圧板４６と一体となるように、ネジ部材４６ａによって螺合されている。また、前記可撓性筒部４４の開口他端の半径方向に突出して形成された外フランジ４４ｂは、止め具４８ａによって前記ピストン収納筐体４１に固定されている。なお、前記可撓性筒部４４は、可撓性の性質を有しながら、通常どおりの筒状に戻ろうと復元する性質を有する。従って、上述したように、前記押圧板４６、及び、連結される前記往復運動部材３４を、動力伝達部３０方向（図中の右方向）に付勢する。
【００２９】
このように構成されたピストン部４０は、次のように動く。すなわち、前記止め球４９ｂは、流体Ｆを前記吐出口１２に吐出する際、つまり前記ピストン部材４５が前記吐出口１２に接近するように移動した際には、前記椀部４９の内部に設けられた前記底孔４９ａを塞ぐように移動する。この際、同時に、前記吸入口１１から前記圧力室４３内に流体Ｆが吸入される。そして、前記ピストン部材４５が前記吐出口１２から離間するように移動した際に、前記椀部４９内に流体Ｆが移動するように、前記止め球４９ｂは、それまで閉めるように当接して塞いでいた前記底孔４９ａから離間するように移動する。なお、前記ピストン部材４５のうち椀部４９の底孔４９ａの近傍には、該椀部４９内に流体Ｆが流入可能な連通孔４９ｃが形成されている。
【００３０】
なお、前記圧力室４３に繋がる吐出口１２は、前記椀部の開口方向に形成されるのに対して、前記圧力室４３に繋がる吸入口１１は、前記椀部４９に対して側部方向に形成される。従って、前記吸入口１１と吐出口１２とは、互いに直交する方向に開口されて形成されるに伴って、これらの吸入口１１と吐出口１２とに接続される、次に説明する内部に流体Ｆを移動可能された管状に形成される吸入パイプ５０と吐出パイプ６０とは、互いに直交するような方向に設けられることとなる。なお、前記吸入パイプ５０と吐出パイプ６０とは、この発明における支持棒にも相当するものである。
【００３１】
次に、上述したように構成されたポンプ本体１０の吸入口１１と吐出口１２とに繋がれる、吸入パイプ５０及び吐出パイプ６０について説明する。
まず、吸入パイプ５０について説明すると、吸入パイプ５０は、内部が前記圧力室４３と連通するように前記ポンプ本体１０の吸入口１１に取り付けられるものであって、前記吸入口１１と吸入パイプ本体５１との間には、両端が開口された取付部材５２が介装されている。また、前記吸入口１１と前記取付部材５２との間、及び、前記取付部材５２と前記吸入パイプ本体５１との間には、密着性を高めることを目的にＯリング５３を介装されてある。なお、前記取付部材５２は前記吸入口１１に圧入され、前記吸入パイプ本体５１も前記取付部材５２に圧入されている。
【００３２】
次に吐出パイプ６０について説明すると、前記吸入パイプ５０と同様に、内部が前記圧力室４３と連通するように前記ポンプ本体１０の吐出口１２に取り付けられるものであって、前記吐出口１２と吐出パイプ本体６１との間には、両端が開口された吐出部材６２が介装されている。前記吐出部材６２の内部は、前記ピストン部材４５の椀部４９のように、前記吐出パイプ６０側に開口して、すり鉢状の鉢部６３が形成されると共に、球状に形成された止め球６４が移動可能に配置されている。そして、その鉢部６３の底に当たる部分には、前記止め球６４の球径より小さい径で前記吐出口１２と連通する開口孔６５が形成されている。
【００３３】
従って、流体Ｆを前記吐出口１２に吐出する際、つまり前記ピストン部材４５が前記吐出口１２に接近するように移動した際には、前記吐出部材６２内の止め球６４は、前記開口孔６５を開けるように該開口孔６５から離間された位置に移動する。また、流体Ｆを前記椀部４９に流入する際、つまり前記ピストン部材４５が前記吐出口１２から離間するように移動する際には、前記吐出部材６２内の止め球６４は、前記開口孔６５を閉めるように該開口孔６５を当接して塞ぐ位置に移動する。また、前記吐出口１２と前記吐出部材６２との間、及び、前記吐出部材６２と前記吐出パイプ本体６１との間には、密着性を高めることを目的にＯリング６６を介装されてある。なお、前記吐出部材６２は、その外側から、前記ピストン収納筐体４１及び前記ギア収納筐体３１と一体になるように螺子６９によって螺着されている。そして、その吐出部材６２に、前記吐出パイプ本体６１が圧入される。
【００３４】
このように構成されたポンプ本体１０は、図４に示すように、前記ピストン部材４５の往復運動により発生する音を防ぐことを目的に、前記ポンプ本体１０を覆うように遮音筐体７０が設けられる。なお、前記遮音筐体７０内の吸入パイプ５０及び吐出パイプ６０には、ゴム７３，７４を取り付けられる。
【００３５】
この遮音筐体７０は、図示するように、分割された２つの部材７１，７２を組み合わせて構成されるものである。具体的には、上板７１ａと２つの側板７１ｂ，７１ｃとから形成される上側部材７１と、下板７２ａと２つの側板７２ｂ，７２ｃとから形成される下側部材７２とから構成され、ネジ部材７９によって互いの部材７１，７２を一体の筐体となるように組み合わせるものである。また、前記上側部材７１の側板７１ｂには、前記吸入パイプ５０が遮音筐体７０から外方に突出するように該吸入パイプ５０の外径に合わせた穴７１ｄが形成されている。また、前記下側部材７２の側板７２ｂには、前記吐出パイプ６０が遮音筐体７０から外方に突出するように該吐出パイプ６０の外径に合わせた穴７２ｄが形成されている。なお、前記上側部材７１には前記ネジ部材７９が挿通可能な孔７７が形成されると共に、前記下側部材７２には前記ネジ部材７９が挿通可能な孔７８ｂが当接側板７８ａに形成される。
【００３６】
なお、前記遮音筐体７０は、前記遮音筐体７０が前記ポンプ本体１０を覆った場合に、該遮音筐体７０の上板７１ａ、側板７１ｂ，７１ｃ，７２ｂ，７２ｃ、下板７２ａの内面と該ポンプ本体１０の外面との間に、適宜の空間が形成される大きさで形成されている。具体的には、図５（ａ）に示すように、前記ポンプ本体１０と前記遮音筐体７０の側板７１ｂ，７１ｃ，７２ｂ，７２ｃの内面と前記ポンプ本体１０の外面との間には、１ｍｍのクリアランスＣ１が形成され、前記ポンプ本体１０と前記遮音筐体７０の上板７１ａ及び下板７２ａの内面と前記ポンプ本体１０の外面との間には、０．５ｍｍのクリアランスＣ２が形成されている。つまり、次に説明するゴム７３，７４は、前記ポンプ本体１０を、この遮音筐体７０の内面に接触しないように、該ポンプ本体１０を支持するものとなっている。なお、これらクリアランスＣ１，Ｃ２は、音を直接的に伝播させないように形成された、この発明における制音部に相当する。
【００３７】
また、前記ゴム７３，７４は、伸縮可能に弾性を有する樹脂で形成されるものであって、図５（ａ）の横断面図に示すように、その上部７３ａ，７４ａと下部７３ｂ，７４ｂとが、前記上板７１ｂの内面と下板７２ｂの内面とに圧着されて固定されるように形成されている。つまり、前記ゴム７３，７４の高さ及び厚みは、前記上側部材７１の上板７１ｂと下側部材７２の下板７２ｂとによってガタツキなく挟持されるような高さと厚みで形成される。また、前記ゴム７３，７４の中央には、前記吸入パイプ５０及び吐出パイプ６０の径より僅かに小さい径で形成された挿通孔７３ｃ，７４ｃが設けられる。これによって、前記吸入パイプ５０及び吐出パイプ６０が、その挿通孔７３ｃ，７４ｃに挿通された場合に、その吸入パイプ５０及び吐出パイプ６０を好ましく圧着して固定することとなる。
【００３８】
なお、図４においては省略されているが、前記ゴム７３，７４が前記吸入パイプ５０及び吐出パイプ６０を圧着して固定する具体的な箇所は、前記吸入パイプ５０にあっては取付部材５２、前記吐出パイプ６０にあっては吐出部材６２の外周とされている。また、前記ゴム７３，７４は、前後左右のガタツキが少なくなるように、その上部７３ａ，７４ａと下部７３ｂ，７４ｂの中央部が切り欠かれて、前記パイプ挿通方向に垂直となる断面が略Ｈの字形状となるように形成されている。
【００３９】
前記遮音筐体７０が設けられたポンプ本体１０の吸入パイプ５０及び吐出パイプ６０には、次のような固定部材８０が設けられて、ピストンポンプ１を構成する。そして、その固定部材８０によって、このピストンポンプ１は他の部材に固定されるものとなっている。
【００４０】
すなわち、前記固定部材８０は、図１及び図５（ｂ）に示すように、材質をゴムとして円筒状に形成されたパイプ挟持部８１と、材質を金属として該パイプ挟持部８１に取り付けられた板状に形成された固定板部８５とから構成される。この円筒状に形成されたパイプ挟持部８１にあっては、その円筒内の内径が、前記吸入パイプ５０及び吐出パイプ６０の外径より僅かに小さい径で形成される。従って、前記吸入パイプ５０及び吐出パイプ６０を、このパイプ挟持部８１の円筒内部８２に挿通させると、このゴムの弾性によって前記吸入パイプ５０及び吐出パイプ６０に好適に当接して、これら吸入パイプ５０及び吐出パイプ６０を挟持する。前記固定板部８５には、この固定板部８５を他の部材に螺着させる際に、ネジ部材８９を挿通する孔８６が形成されている。これにより、この固定部材８５は、その孔８６にネジ部材８９を挿通して他の部材に螺着できる。なお、前記パイプ挟持部８１が、この発明における支持棒（前記吸入パイプ５０及び吐出パイプ６０）に当接する制振部材に相当する。
【００４１】
また、前記固定部材８０は、図示するように、前記ポンプ本体１０を中空に浮かばせるように、前記パイプ挟持部８１によって前記吸入パイプ５０及び吐出パイプ６０を挟持している。つまり、前記ポンプ本体１０は、適宜のクリアランスＣ３が形成されるように支持されることとなる。このようにして、前記ポンプ本体１０に固定部材８０が設けられたピストンポンプ１は、この固定部材８０を除いた箇所について、他の部材と接触しないように固定されることとなる。なお、前記吸入パイプ５０及び吐出パイプ６０の開口部５０Ａ，６０Ａには、適宜のチューブＴ１，Ｔ２が装着され、このピストンポンプ１によって、流体Ｆは吸入されて吐出される。
【００４２】
このピストンポンプ１によれば、上述したように、固定部材８０によってポンプ本体１０を固定することによって、この固定部材８０を除いた箇所について、他の部材との接触しないものとなり、内蔵されたピストン部材４５の往復運動によって生ずる振動を他の部材に伝達しないものとなる。また、唯一他の部材と接触することとなる固定部材８０にあっても、これらパイプ５０，６０を挟持するパイプ挟持部８１が弾性を有するゴムによって構成されているので、その振動が緩衝された形で接触することとなる。つまり、防振性に優れたピストンポンプが得られることとなる。
【００４３】
また、前記ポンプ本体１０は、上述したような遮音筐体７０によって覆われているので、内蔵されたピストン部材４５の往復運動によって生ずる音を遮音する。さらに、この遮音筐体７０は、前記ポンプ本体１０と遮音筐体７０との間にクリアランス（制音部）Ｃ１，Ｃ２を介装して、前記ポンプ本体１０を内蔵しているので、この遮音筐体７０に発生した音を直接的に伝達しないものとなって、より効果的にその生ずる音を遮音する。つまり、防音性に優れたピストンポンプが得られることとなる。
【００４４】
加えて、前記ピストンポンプ１は、流体Ｆを吸入する吸入パイプ５０と流体Ｆを吐出する吐出パイプ６０とを互いに直交するように配置したので、前後左右方向に生ずる振動に対して好ましく防振し、さらに、その振動によって、前記吸入パイプ５０若しくは吐出パイプ６０が、前記パイプ挟持部８１から抜けてしまうことも防止する。
【００４５】
また、前記ポンプ本体１０を覆う遮音筐体７０にあっては、上述したように、分割された２つの部材（上側部材７１、下側部材７２）を組み付けてなるように構成したので、部材点数が減らされ、これにより組み付け工程数が減らされる。従って、このピストンポンプを組み付けるにあたっての作業の煩雑さが解消されることとなる。
また、前記遮音筐体７０を構成することとなる上側部材７１、下側部材７２にあっては、それぞれが、前記パイプ５０，６０を挿入する穴７１ｄ，７２ｄが形成された側板７１ｂ，７２ｂに対向する側に、側板を形成しないように構成されている。従って、前記パイプ本体１０に設けられる前記吸入パイプ５０若しくは吐出パイプ６０とを、その穴７１ｄ，７２ｄに挿入させようとした際に、その対向される側には側板が形成されていないので、水平に前記パイプ本体１０を移動させて前記吸入パイプ５０若しくは吐出パイプ６０を、楽にその穴７１ｄ，７２ｄに挿入させることができる。つまり、遮音筐体７０を構成する際の組み付け作業を容易に行うことができる。
【００４６】
前記ゴム７３，７４にあっては、その上部７３ａ，７４ａと下部７３ｂ，７４ｂの中央部が切り欠かれることによって、圧着される面の押圧力を端部に集中させることができる。これによって、よりガタツキなく前記ゴム７３，７４が配され、前記ポンプ本体１０をより好ましく支持することができる。
【００４７】
加えて、このピストンポンプ１によれば、前記モータ部２０とピストン部４０とが、モータ部２０の回転軸線方向と、ピストン部材４５の往復運動方向とされた、ピストン部４０の中心軸線方向とが平行となり、その上、互いが隣接して設けられているので、モータ部２０とピストン部４０以外の無駄なスペースが無くされて、省スペースに貢献したものとなる。また、この小さく構成されたピストンポンプ１の圧力室４３と連通された吐出パイプ６０と吸入パイプ５０とが、パイプ挟持部（制振部材）８１を設けた固定部材８５によって固定されているので、ピストン部材４５等が往復することによって発生した振動は、そのパイプ挟持部（制振部材）８１で制振されることとなって、固定部材８５に伝達され難いものとなる。従って、このピストンポンプ１によれば、極小に構成されると共に、ピストン部材４５が往復することによって発生した振動が、そのポンプ本体１０の周囲に伝達され難いものとなって、結果、防振効果の得られたピストンポンプとなる。
【００４８】
また、ピストンポンプ１によれば、吐出パイプ６０を、ピストン部材４５の往復運動方向とされた、ピストン部４０の中心軸線と同軸上に設けられているので、そのピストン部材４５のピストン運動によって得られた圧力を、無駄なく流体Ｆを吐出力とすることができる。従って、ピストン運動のロスが少なくされ、好適に流体Ｆを吐出することができるピストンポンプとなる。
【００４９】
なお、本発明は、上記の実施の形態に限定されるものではなく、趣旨を逸脱しない範囲において適宜の選択が可能である。
すなわち、上述の実施形態におけるピストンポンプ１にあっては、固定部材のうち、前記支持棒（吸入パイプ５０及び吐出パイプ６０）に当接する部分とされる制振部材（パイプ挟持部８１）を、全ての材質がゴムからなって円筒状で形成されるように構成したが、これに限定されず、前記支持棒（吸入パイプ５０及び吐出パイプ６０）に当接する部分に、適宜の厚みで形成されたゴムが配されるものであれば何ら問題はない。たとえば、介装されるように構成すればよい。つまり、前記パイプ挟持部８１にあっては、ゴムを単一的に形成してなるものとしたが、たとえば、前記支持棒（吸入パイプ５０及び吐出パイプ６０）の当接する部分にゴムが周回するように配され、そのゴムの周囲に金属等からなる部材が配されるような２層構造からなるものであっても、所望の効果が得られ、何ら問題のないものとされる。
また、上述の実施形態におけるピストンポンプ１にあっては、制音部を適宜のクリアランスＣ１，Ｃ２で形成したが、これに限定されず、そのクリアランスＣ１，Ｃ２に替え遮音効果を有する弾性材が介装されるように構成されるものであってもよい。また、同様に前記ポンプ本体１０の下方に形成されるクリアランスＣ３にあっても、そのクリアランスＣ１，Ｃ２に替え振動を抑える効果を有する弾性材が介装されるように構成されるものであってもよい。
また、上述の実施形態におけるピストンポンプ１にあっては、固定部材８０によって、ポンプ本体１０を中空に浮かばせるように支持したが、これに限定されず、その中空にされる部分に適宜の制振部材を介装させて構成しても何ら問題のないものとされる。
【図面の簡単な説明】
【００５０】
【図１】本発明に係るピストンポンプの斜視図である。
【図２】吸入パイプ及び吐出パイプが設けられたポンプ本体の一部切り欠き斜視図である。
【図３】図２のポンプ本体の上面断面図である。
【図４】図２のポンプ本体を筐体で覆う際の分解図である。
【図５】筐体で覆われたポンプ本体の横断面図及び固定部材の横断面図である。
【符号の説明】
【００５１】
１    ピストンポンプ
１０    ポンプ本体
５０    支持棒（吸入パイプ）
６０    支持棒（吐出パイプ）
８０    固定部材
８１    制振部材
【図１】
2006144661.tif 000003
【図２】
2006144661.tif 000004
【図３】
2006144661.tif 000005
【図４】
2006144661.tif 000006
【図５】
2006144661.tif 000007